(57)【要約】【課題】  針振れの発生を抑制するとともに、磁石とロータとの間に異物が侵入することを防止することができる渦電流式計器を提供する。【解決手段】  磁石１と、磁石１の回転により発生する渦電流作用により回動するロータ２と、ロータ２に装着される指針軸３と、指針軸３に装着され計測量を指示する指針４と、を備える渦電流式計器Ｆにおいて、磁石１を装着した主軸７と、主軸７を回動可能に支持するベースプレート５と、指針軸３の下端部を回転可能に支持する第１のケース体８と、指針軸３のロータ２と指針４との間を回転可能に支持する第２のケース体９と、を備え、ベースプレート５と第１のケース体８とで磁石１を収納し、第１のケース体８と第２のケース体９とでロータ２を収納したものである。【選択図】  図１
2009271047.tif 000002
【特許請求の範囲】
【請求項１】
磁石と、前記磁石の回転により回動するロータと、前記ロータの中央に装着される指針軸と、前記指針軸に装着され計測量を指示する指針と、を備える渦電流式計器において、前記磁石を装着した主軸と、前記主軸を回動可能に支持するベースプレートと、前記指針軸の下端部を回転可能に支持する第１のケース体と、前記指針軸の前記ロータと前記指針との間を回転可能に支持する第２のケース体と、を備え、前記ベースプレートと前記第１のケース体とで前記磁石を収納し、前記第１のケース体と前記第２のケース体とで前記ロータを収納したことを特徴とする渦電流式計器。
【請求項２】
前記ロータを、ほぼ平板形状としたことを特徴とする請求項１に記載の渦電流式計器。
【請求項３】
前記ロータと前記第１のケース体との間にダンパーオイルを配設したことを特徴とする請求項１に記載の渦電流式計器。
【請求項４】
前記指針軸と前記第１のケース体との間に軸受ボールを配設したことを特徴とする請求項１に記載の渦電流式計器。
【請求項５】
前記第１のケース体と前記第２のケース体とで収納されるとともに前記ロータの前記磁石の対向面とは反対の側に、ほぼ平板形状のヨークを配設したことを特徴とする請求項２に記載の渦電流式計器。
【請求項６】
前記第２のケース体に表示体を支持する少なくとも一対のボスを備え、前記ボスに前記表示体を固定手段によって固定するための穴部を備え、前記穴部を行きづまった袋状に形成したことを特徴とする請求項１に記載の渦電流式計器。
【発明の詳細な説明】
【技術分野】
【０００１】
本発明は、磁石の回転に応じてロータを回転させ、このロータの回転によって指針を駆動する渦電流式計器に関する。
【背景技術】
【０００２】
従来の渦電流式計器は、磁石と、この磁石の回転により発生する渦電流作用により回動するロータと、ロータの中央に装着される指針軸と、指針軸に装着された指針とを備え、計測量を指示するものであった（特許文献１参照）。
【特許文献１】特開昭５８−３２１６９号公報
【発明の開示】
【発明が解決しようとする課題】
【０００３】
しかしながら、従来の渦電流式計器は、回動可能に軸支される主軸の上端部に指針軸の軸受が形成されているため、摩擦による回転トルクによって針が振れる（回転する）、針振れという現象が発生し易いといった問題点を有していた。
【０００４】
また、従来の渦電流式計器は、前記磁石と前記ロータとが露出しているために、前記磁石と前記ロータとの間に異物が侵入して計器の作動を阻害する虞があるという問題点があった。
【０００５】
そこで、本発明は前述した問題点に着目し、針振れの発生を抑制するとともに、磁石とロータとの間に異物が侵入することを防止することが可能な渦電流式計器を提供することを目的とする。
【課題を解決するための手段】
【０００６】
本発明は、磁石と、前記磁石の回転により回動するロータと、前記ロータの中央に装着される指針軸と、前記指針軸に装着され計測量を指示する指針と、を備える渦電流式計器において、前記磁石を装着した主軸と、前記主軸を回動可能に支持するベースプレートと、前記指針軸の下端部を回転可能に支持する第１のケース体と、前記指針軸の前記ロータと前記指針との間を回転可能に支持する第２のケース体と、を備え、前記ベースプレートと前記第１のケース体とで前記磁石を収納し、前記第１のケース体と前記第２のケース体とで前記ロータを収納したものである。
【０００７】
また、本発明は、前記ロータを、ほぼ平板形状としたものである。
【０００８】
また、本発明は、前記ロータと前記第１のケース体との間にダンパーオイルを配設したものである。
【０００９】
また、本発明は、前記指針軸と前記第１のケース体との間に軸受ボールを配設したものである。
【００１０】
また、本発明は、前記第１のケース体と前記第２のケース体とで収納されるとともに前記ロータの前記磁石の対向面とは反対の側に、ほぼ平板形状のヨークを配設したものである。
【００１１】
また、本発明は、前記第２のケース体に表示体を支持する少なくとも一対のボスを備え、前記ボスに前記表示体を固定手段によって固定するための穴部を備え、前記穴部を行きづまった袋状に形成したものである。
【発明の効果】
【００１２】
本発明によれば、所期の目的を達成でき、針振れの発生を抑制するとともに、磁石とロータとの間に異物が侵入することを防止することが可能な渦電流式計器を提供することができる。
【発明を実施するための最良の形態】
【００１３】
以下、本発明を適用した第１実施形態を添付図面に基づいて説明する。
【００１４】
渦電流式計器Ｆは、主に、磁石１、ロータ２、指針軸３、指針４、ベースプレート５、主軸７、第１のケース体８および第２のケース体９で構成されている。
【００１５】
磁石１は、永久磁石であり、その材質は、例えば、鋳造Ｆｅ−Ａｌ−Ｎｉ合金などからなる。磁石１の形状は、平板状で、かつ環状であり、その中央に、ブッシュ１ａを介して主軸７の上端部に装着され、主軸７の回転に伴って回動するものである。
【００１６】
ロータ２は、磁石１の回転により発生する渦電流作用により回動するものである。ロータ２は、銅やアルミなどの金属からなり、その形状は、中央部が図１中上側に若干隆起した形状ではあるが、従来の渦電流式計器のロータのように、外周に立ち下がり壁を備えたカップ型ではなく、ほぼ平板の円盤形状である。磁石１の磁力は、磁石１の板面と対向するロータ２の円盤状の板面に作用する。
【００１７】
指針軸３は、金属からなり、ブッシュ３ａを介してロータ２の中央を貫通した状態で装着される。
【００１８】
指針４は、指針軸３の上端部に装着され計測量を指示するものである。本実施形態では、車両の速度を指示するものである。
【００１９】
ベースプレート５は、金属からなり、ボス体５ａを備えている。また、ベースプレート５は、凹部５ｂを備えている。ボス体５ａ内には、軸受け部６が固定されている。この軸受け部６に、端部に磁石１を装着した主軸７が、回動可能に軸支されている。主軸７には、車両から伸びる回転ケーブルが接続されて、前記車両からの回転を主軸７に伝達するものである。
【００２０】
第１のケース体８は、合成樹脂からなり、ロータ２の裏面側に突出した指針軸３の下端部を回転可能に支持する下軸受け部８ａを備えている。また、第１のケース体８は、下側に第１凹部８ｂを、上側に第２凹部８ｃを備えている。
【００２１】
また、第１のケース体８の下軸受け部８ａ内には、金属製の軸受ボール１１が設けられており、指針軸３と第１のケース体８との間に軸受ボール１１が配設されている。
【００２２】
第２のケース体９は、合成樹脂からなり、指針軸３のロータ２と指針４との間を回転可能に支持する上軸受け部９ａを備えている。この上軸受け部９ａは、筒状であり、その内側を指針軸３が貫通する構造である。指針軸３は下軸受け部８ａと上軸受け部９ａとで回転可能に支持されている。また、第２のケース体９は、凹部９ｂを備えている。なお、９ｃは、指針４が指示する指標部を備えた文字板２０（図２参照）を固定するためのボスである。
【００２３】
本実施形態の渦電流式計器Ｆは、ベースプレート５の凹部５ｂと第１のケース体８の第１凹部８ｂとで構成される第１の収納部１２内に磁石１を収納する。
【００２４】
また、第１のケース体８の第２凹部８ｃと第２のケース体９の凹部９ｂとで構成される第２の収納部１３内にロータ２を収納する。
【００２５】
また、第２の収納部１３内には、シリコンオイルからなるダンパーオイルが入っており、特に、ロータ２と第１ケース体８との間にダンパーオイル１０が設けられている。
【００２６】
なお、１４は、ヨークであり、１５は、ばねである。
【００２７】
ヨーク１４は、鉄やパーマロイなどの強磁性体からなり、平板形状で、かつ環状である。このヨーク１４は、第１のケース体８と第２のケース体９とで挟まれて固定される。そして、ヨーク１４は、第１のケース体８と第２のケース体９とで構成される第２の収納部１３内に収納されている。そして、ロータ２の磁石１の対向面とは反対の側に設けられている。このヨーク１４を設けたことによって、磁石１の磁界は、磁石１、ロータ２、ヨーク１４、再びロータ２、そして磁石１という閉ループを構成し、磁気効率を向上させてロータ２に発生する回転トルクを大きくすることができる。また、ヨーク１４を平板形状としたことによって、第２の収納部１３内に収納することができる。
【００２８】
ばね１５は、金属製で、指針軸３を所定の方向に回転する力を加えるものである。ばね１５は、一端がブッシュ３ａに固定され、他端が第２のケース体９に固定されている。また、ばね１５も、ヨーク１４と同様に、第２の収納部１３内に収納されている。
【００２９】
以上の構成によって、指針軸３の下端部を回転可能に支持する第１のケース体８と、指針軸３のロータ２と指針４との間を回転可能に支持する第２のケース体９と、を備え、ベースプレート５と第１のケース体８とで磁石１を収納し、第１のケース体８と第２のケース体９とでロータ２を収納したことによって、主軸７と指針軸３を分離することができ、指針軸３は高速で回転する主軸７と接触しないため、指針軸３は、主軸７の振動や摩擦の影響を受けることがなくなる。
【００３０】
また、指針軸３を合成樹脂からなる第１のケース体８で回転可能に支持することができ、安価に製造することができる。
【００３１】
また、磁石１とロータ２とを収納したことによって、磁石１とロータ２との間に異物が侵入することを防止することができる。
【００３２】
また、ロータ２を、ほぼ平板形状としたことによって、従来のカップ型のロータのように、絞り加工の必要がなくなり、ロータ２の加工が容易になるとともに、ロータ２のアンバランス量を低減することで針振れを起こし難くすることができる。
【００３３】
また、ロータ２を収納し、ロータ２と第１のケース体８との間にダンパーオイル１０を配設したことによって、ロータ１と第１のケース体８との間でダンピング抵抗を得ることが可能となり、従来の渦電流式計器のように、ダンパーオイルを保持するためのオイルカップを不要とすることで、構造を簡素化することができ、安価な渦電流式計器を提供することができる。
【００３４】
また、指針軸３と第１のケース体８との間に軸受ボール１１を配設したことによって、指針軸３と第１のケース体８との摩擦を低減することができ、コストを抑えて針振れを起こし難い構造を得ることができる。
【００３５】
次に本発明の第２実施形態を図２を用いて説明する。なお、第１実施形態と同一および相当個所には同一符号を付してその詳細な説明は省略する。
【００３６】
第２のケース体９の上軸受け部９ａの両側には、上軸受け部９ａを挟むように一対のボス９ｃが設けられている。このボス９ｃは、表示体である文字板２０を支持するものである。この文字板２０は、目盛や文字などからなる図示しない指標部が形成されている。文字板２０は、固定手段であるビス２１によってボス９ｃに固定されている。ボス９ｃには、ビス２１が挿入される穴部９ｄを備えており、この穴部９ｄは、行きづまった袋状に形成されている。穴部９ｄが、袋状であるため、第１のケース体８と第二のケース体９とで形成される第２の収納部１３に達しないものである。
【００３７】
以上のように構成したことによって、ビス２１で文字板２０をボス９ｃに固定するために、ビス２１を穴部９ｄにねじ込む時に発生することがある削り屑などの異物が第２の収納部１３内に侵入することを防止することができる。
【００３８】
なお、本実施形態では、表示体が文字板２０であったが、本実施形態に限定されるものではなく、光を透過可能な合成樹脂からなる導光体であってもよい。
【図面の簡単な説明】
【００３９】
【図１】本発明の第１実施形態の渦電流式計器の断面図。
【図２】同発明の第２実施形態の渦電流式計器の断面図。
【符号の説明】
【００４０】
Ｆ      渦電流式計器
１      磁石
１ａ    ブッシュ
２      ロータ
３      指針軸
３ａ    ブッシュ
４      指針
５      ベースプレート
５ａ    ボス体
５ｂ    凹部
６      軸受け部
７      主軸
８      第１のケース体
８ａ    下軸受け部
８ｂ    第１凹部
８ｃ    第２凹部
９      第２のケース体
９ａ    上軸受け部
９ｂ    凹部
９ｃ    ボス
９ｄ    穴部
１０      ダンパーオイル
１１      軸受ボール
１２      第１の収納部
１３      第２の収納部
１４      ヨーク
１５      ばね
２０      表示体（文字板）
２１      固定手段（ビス）
【図１】
2009271047.tif 000003
【図２】
2009271047.tif 000004